(57)【要約】　　　（修正有）【課題】服のポケットに収納する時安定して挟め、使用者がしゃがんだ際又は大きく動いた際に滑り落ちないメガネの折畳み構造を提供する。【解決手段】メガネの折畳み構造は、主にメガネのスタンド１０に磁石構造１２１を設置して構成される。その中に、スタンド１０は枠１１と両足１２を含み、枠１１はレンズ１１１を固定し、足１２は枠１１の端部に設置され折畳み及び拡げることができる。メガネを暫く使用しないとき、メガネの足１２の折畳み状態で服のポケット２０に掛け、その一つの足１２をポケット２０の外部に跨いで、両足１２の磁石構造１２１はポケット２０の内、外から磁力で挟み合え、メガネを安定した状態でポケット２０の内部に掛けることができ、滑り落ちない【選択図】　　図３
0003097213.tif 000002
【実用新案登録請求の範囲】
【請求項１】
一種のメガネの折畳み構造であり、主な構造は、
メガネ、そのスタンドは枠と両足を含み、枠はレンズの装置のために作られ、足は枠の端部に設置され、折り畳み及び拡張作業を遂げるものであり、
メガネの両足の対応側に磁石構造を設置しその磁石構造がスタンドの中段に対応して設置されることにより、メガネが折り畳み状態に両足を互いに吸引し合える。よってメガネが折り畳み状態で掛けるときに、一つの足を服の外部に跨いで、両足の磁石構造が服の内、外から磁気で挟み合うことを特徴とする、メガネの折畳み構造。
【請求項２】
請求項１に記載のメガネの折畳み構造において、その足はステンレス又は磁気性質の材質で構成でき、その磁石構造は単一足に成型でき、即ち直接に足自身の磁気特性を利用してもう一つの足の磁石構造と互いに挟むことを特徴とする、メガネの折畳み構造。
【請求項３】
請求項１に記載のメガネの折畳み構造において、その足はステンレス又は磁気性質の材質で構成でき、それに磁気化技術を通して両足を直接に磁石構造にさせることによって互いに磁気で吸引しあうことを特徴とする、メガネの折畳み構造。
【請求項４】
請求項１に記載のメガネ折畳み構造において、その磁石構造はスタンドの末に対応して設置されるものであることを特徴とする、メガネの折畳み構造。
【考案の詳細な説明】
【０００１】
【考案の属する技術分野】
本考案は一種のメガネの折畳み構造に関するものであり、具体的に言うと、スタンドの足に磁石構造が成型され、メガネの足が折畳み状態になる時、磁石構造の磁力を利用してメガネを使用者のポケットに固定し、適当に収納、使用できる折畳み構造に関する。
【０００２】
【従来の技術およびその課題】
現在、市場で販売されているメガネは種類が多く、これらが異なるニーズの人々に提供されている。メガネの構造において、スタンドとレンズの二部分があり、スタンドは主にレンズを置く場所で、そして目の前の適当な位置にかかるものであり、レンズはメガネの主要部材であり、その構成材質はガラスとプラスチックの二種類があり、使用者のニーズに応じて選択できる。
【０００３】
メガネの使用者にとって常に問題となるのは、メガネを使用しないときの収納である。例えば、直接にメガネをズボンのポケットに入れると、使用者の大きな動きにより曲げられ破損してしまうことがあり、ボックスでメガネを収納すると安全の点で目的を達成できるがスペースが要るので、携帯時に不便であり、さらに再び使用するとき、ボックスを開けずに使用できないから理想的ではない。また、錬（帯）でメガネを胸の前に掛け、使用の準備をすると即時に使用できる目的を達成できるが、移動する仕事に従事する人にとってはメガネが揺れるから安全でなくかつ不便である。メガネを直接服のポケットに入れると、使用時に便利で、潰して破損することがない利点があるが、使用者がしゃがむときにそのメガネは必ずポケットから滑り落ちてしまい安全ではない。
【０００４】
【考案の目的】
本考案の主な目的は、一種のメガネの折畳み構造を提供し、両足の対応側で磁石構造を設置することにより、折り畳むとき、両足が互いに貼り合え、よって、メガネを暫く使用しないときにメガネの足を折畳んで服のポケットに掛けることができ、その一つの足がポケットの外部に跨いで両足の磁石構造が内外から挟み合うことにより、放置時と使用時ともに安全（滑り落ちない）かつ便利となる目的を達成できる。
【０００５】
【課題を解決するための手段】
以上の課題に鑑みて、本考案の考案者は特別にメガネのスタンド部分に折畳みの磁石構造を設計して、メガネを服のポケットに収納する時安定して挟さめ、使用者がしゃがんだ際又は大幅に動いた際に滑り落ちたりせず、メガネの使用者の実際のニーズとあう。
【０００６】
【考案の実施の形態】
【０００７】
本考案が以上の目的を達成するために採用される技術、方法及び他の効果に関して、実施例を挙げて図式で詳しく説明する。本考案の上記の目的、特徴と他の利点がそれにより深く具体的な理解を得る。図１および図２に示すように、本考案の実施例が提供する一種のメガネの折畳み構造は、主にメガネのスタンド（１０）に磁石構造（１２１）を設置して構成されるものである。その中に、スタンド（１０）は枠（１１）と両足（１２）を含み、枠（１１）はレンズ（１１１）を固定し、足（１２）は枠（１１）の端部に設置され折畳み及び拡げることができる。足（１２）を拡ろげることで、使用者は足（１２）を利用してメガネを顔に挟み、足（１２）が折畳まれるとき、メガネをより小さな形態とすることができ、メガネの収納に有益となる。
【０００８】
本考案は、特別にメガネの二足（１２）の対応側に磁石構造（１２１）（磁石の設置を通して構成でき、又は直接に足を磁気化させてもよい）を設置し、メガネの折畳み状態時に両足（１２）が互いに磁力により挟まれる。
【０００９】
この他に、本考案の磁石構造（１２１）は足（１２）の中段（図２）に設置してもよいし、スタンド（１０）の末又は適当な位置に設置してもよい。
【００１０】
よって、本考案は使用上、メガネを暫く使用しないとき、メガネの足（１２）の折畳み状態で服のポケット（２０）（例えば、服のポケット）に掛け、その一つの足（１２）をポケット（２０）の外部に跨いで、両足（１２）の磁石構造（１２１）はポケット（２０）の内、外から磁力で挟み合え（図３参照）、メガネを安定した状態でポケット（２０）の内部に掛けることができ、滑り落ちない目的を達成できる。
【００１１】
メガネが折畳まれ、ポケット（２０）に掛けられ、また使用したいときに、使用者が直接に外部足（１２）を動かし、ポケット（２０）の内、外足（１２）の磁石構造（１２１）を離し、磁気吸引状態を解除させ、直接にメガネを取り出して使用できるので使用上相当に便利である。
【００１２】
即ち、もしその足（１２）をステンレス又は磁気性質の材質で構成する時、実際にその磁石構造（１２１）は単一足（１２）に成型でき、即ち直接に足（１２）自身の磁気特性を利用してもう一つの足（１２）の磁石構造（１２１）と互いに引き合って挟み、又は、直接に両足（１２）を磁気化技術を通して両足（１２）を直接に磁石構造とすることにより互いに磁気吸引し合う。
【００１３】
【考案の効果】
以上より、本考案の実施例に記載した構造は、操作して実施する時にメガネの二足の対応側に磁石構造を設置することによって、メガネの折畳み状態時に両足が互いに磁気吸引し合える。
【００１４】
よって、メガネを暫く使用しないときに、メガネを折畳み状態で服のポケットに掛け、それに一つの足をポケットの外部に跨いで、両足の磁石構造をポケット内、外から磁力で挟み合い、放置時および使用時ともに安全かつ便利となる目的を達成できる。
【図面の簡単な説明】
【図１】本発明の立体図。
【図２】本発明の足折り畳み状態の立体図。
【図３】本発明の使用状態の立体概略図。
【符号の説明】
１０　　　　スタンド
１１　　　　枠
１２　　　　足
１１１　　　レンズ
１２１　　　磁石構造
２０　　　　ポケット
【図１】
0003097213.tif 000003
【図２】
0003097213.tif 000004
【図３】
0003097213.tif 000005
【手続補正書】
【提出日】平成15年6月3日(2003.6.3)
【手続補正１】
【補正対象書類名】明細書
【補正対象項目名】請求項１
【補正方法】変更
【補正の内容】
【請求項１】
一種のメガネの折畳み構造であり、主な構造は、
メガネ、そのスタンドは枠と両足を含み、枠はレンズを固定するために作られ、足は枠の端部に設置され、折り畳み及び拡張作業を遂げるものであり、
メガネの両足の対応側に磁石構造を設置しその磁石構造がスタンドの中段に対応して設置されることにより、メガネが折り畳み状態に両足を互いに吸引し合え、よってメガネが折り畳み状態で掛けるときに、一つの足を服の外部に跨いで、両足の磁石構造が服の内、外から磁気で挟み合うことを特徴とする、メガネの折畳み構造。